(57)【要約】【課題】発光部の位置や個数が異なる複数の場合において、一種類の前壁パネルにて対応することができる加熱調理器を提供する。【解決手段】加熱調理器は、本体ケーシングの前面部を構成する前壁パネル４Ａと、取付部材６と、発光部７と、を備える。前壁パネル４Ａには、前後に貫通するパネル開口４０が形成されている。前壁パネル４Ａには、正面視においてパネル開口４０に対応する箇所に取付部材６が取り付けられている。取付部材６には、正面視においてパネル開口４０の一部に対応する箇所に前後に貫通する小開口６０が形成されている。取付部材６には、正面視において小開口６０に対応する箇所に発光部７が位置するように発光部７が取り付けられている。【選択図】図５
2019190749.tif 000002
【特許請求の範囲】
【請求項１】
本体ケーシングの前面部を構成する前壁パネルと、取付部材と、発光部と、を備え、
前記前壁パネルには、前後に貫通するパネル開口が形成されており、正面視において前記パネル開口に対応する箇所に前記取付部材が取り付けられており、
前記取付部材には、正面視において前記パネル開口の一部に対応する箇所に前後に貫通する小開口が形成されており、正面視において前記小開口に対応する箇所に前記発光部が位置するように前記発光部が取り付けられている
ことを特徴とする加熱調理器。
【請求項２】
更に、前記前壁パネルの前方側に位置する化粧パネルを備え、
前記化粧パネルは、前記小開口に対応する位置に透光部を有する
ことを特徴とする請求項１記載の加熱調理器。
【請求項３】
前記取付部材は、前記小開口に導光部材を有する
ことを特徴とする請求項１又は２記載の加熱調理器。
【請求項４】
前記前壁パネルには、ビスからなる固着具がねじ込まれる固着部としてのねじ孔が形成され、
前記取付部材には、前記固着具が通る固着部としてのビス孔が形成され、
前記発光部には、前記固着具が通る固着部としてのビス孔が形成され、
前記ビスが、前記発光部の前記ビス孔及び前記取付部材の前記ビス孔を通り、前記前壁パネルの前記ねじ孔にねじ込まれて、前記取付部材が前記前壁パネルに固定される
ことを特徴とする請求項１〜請求項３のいずれか一項に記載の加熱調理器。
【発明の詳細な説明】
【技術分野】
【０００１】
本発明は、加熱調理器に関し、更に詳しくは、前壁パネルと発光部とを備える加熱調理器に関する。
【背景技術】
【０００２】
従来、特許文献１に示されるような加熱調理器が知られている。この加熱調理器は、前面パネルに設けられるＬＥＤランプと、前面パネルを前面から覆うパネルカバーと、を備えている。パネルカバーは、前面パネルを覆った状態において、ＬＥＤランプの点灯／消灯をパネルカバーの前方から視認するための導光部を備えている。
【先行技術文献】
【特許文献】
【０００３】
【特許文献１】特開２０１６−０４８１６１号公報
【発明の概要】
【発明が解決しようとする課題】
【０００４】
特許文献１に示される加熱調理器にあっては、設けられるＬＥＤランプの位置や個数が異なる複数種類のものを用意しようとすると、複数種類のパネルカバーを用意する必要があった。
【０００５】
本発明は上記従来の問題点に鑑みて発明したものであって、発光部の位置や個数が異なる複数の場合において、一種類の前壁パネルにて対応することができる加熱調理器を提供することにある。
【課題を解決するための手段】
【０００６】
本開示の一形態に係る加熱調理器は、本体ケーシングの前面部を構成する前壁パネルと、取付部材と、発光部と、を備える。前記前壁パネルには、前後に貫通するパネル開口が形成されている。前記前壁パネルには、正面視において前記パネル開口に対応する箇所に前記取付部材が取り付けられている。前記取付部材には、正面視において前記パネル開口の一部に対応する箇所に前後に貫通する小開口が形成されている。前記取付部材には、正面視において前記小開口に対応する箇所に前記発光部が位置するように前記発光部が取り付けられている。
【発明の効果】
【０００７】
本開示の一形態に係る加熱調理器にあっては、発光部の位置や個数が異なる複数の場合において、一種類の前壁パネルにて対応することができる。
【図面の簡単な説明】
【０００８】
【図１】図１は、第一実施形態に係る加熱調理器の前斜め上方より見た斜視図である。
【図２】図２は、同上の加熱調理器の加熱手段の構成図である。
【図３】図３は、同上の加熱調理器の左側の操作部が使用位置に位置する状態の前斜め上方より見た斜視図である。
【図４】図４は、同上の加熱調理器の前壁パネルの要部を前斜め上方より見た斜視図である。
【図５】図５は、同上の加熱調理器の前壁パネル、取付部材及び発光部を後斜め上方より見た分解斜視図である。
【図６】図６は、第二実施形態に係る加熱調理器の前面部の要部の正面図である。
【図７】図７は、同上の加熱調理器の前壁パネル、取付部材及び発光部を後斜め上方より見た分解斜視図である。
【発明を実施するための形態】
【０００９】
本発明に係る加熱調理器の第一実施形態について、図１〜図７に基いて説明する。
【００１０】
第一実施形態における加熱調理器は、キッチンカウンターに形成された凹部に設置されるビルトイン型のグリル付きガスコンロである。
【００１１】
図１に示すように、加熱調理器１は、本体ケーシング２と、加熱手段３と、加熱部１１と、制御部（不図示）と、を備える。本体ケーシング２は、上方に開口する筐体２０と、筐体２０の上開口を覆って本体ケーシング２の上面部２２を構成する天板２１と、を備える。加熱手段３は、コンロバーナ３０およびグリルバーナ（不図示）により構成される。制御部は、マイクロコンピュータを有し、加熱手段３を制御する。加熱手段３および制御部は本体ケーシング２内に収納される。
【００１２】
ここで、加熱調理器１における前後方向を定義する。図１に示すように、設計上、加熱調理器１に対して使用者が位置する方を前方Ｆとするとともにその反対を後方Ｂとする。左右については、後方Ｂを向いた時の左方Ｌおよび右方Ｒとする。
【００１３】
第一実施形態では、コンロバーナ３０として、天板２１の前部の左部に左コンロバーナ３０Ａが設けられ、天板２１の後部の左右方向中央に奥コンロバーナ３０Ｂが設けられ、天板２１の前部の右部に右コンロバーナ３０Ｃが設けられる。天板２１の各コンロバーナ３０Ａ〜Ｃが設けられる部分にコンロバーナ挿通口（不図示）がそれぞれ形成され、各コンロバーナ挿通口を挿通してコンロバーナ３０の略円形状をした上部がそれぞれ上方に露出する。
【００１４】
天板２１には、コンロバーナ挿通口の周囲の上面に、調理容器等の加熱対象が載置される五徳１１１が設置されている。第一実施形態では、コンロバーナ３０及び五徳１１１が、加熱手段３により加熱対象を加熱するための加熱部１１を構成する。
【００１５】
加熱調理器１は、グリル１２を備えている。グリル１２は、本体ケーシング２内に収納されるグリル庫１２０を有する。グリル庫１２０は、内部にグリルバーナを備え、内部空間を燃焼室とするものである。燃焼室から後方Ｂに向けて、グリルバーナからの燃焼排気を排出するための排気通路が連設されている。排気通路の下流端は、天板２１の後部の下側に位置しており、天板２１の後部に設けられた排気口２１１から天板２１の上方に排出される。グリル庫１２０は、前開口を有しており、前開口を通って前方Ｆより加熱対象を出し入れ可能である。前開口には、グリル扉１２１が開閉自在に設けられる。グリル扉１２１は、本体ケーシング２の前面部２３の一部を構成する。
【００１６】
加熱手段３について説明する。図２に示すように、各コンロバーナ３０、グリルバーナに燃料ガスを通流させるガス流路３１がそれぞれ設けられる。各ガス流路３１には、上流側より、安全弁３２、メイン弁３３および流量制御弁３４が設けられている。このような弁を有するガス流路３１を通流して、コンロバーナ３０およびグリルバーナに都市ガス等の燃料ガスが供給される。これらの構成部材は、本体ケーシング２内に収納されて、加熱手段３を構成する。なお、コンロバーナ３０の上端部等、加熱手段３の一部が本体ケーシング２外に位置してもよい。図２中の符号３５は点火プラグであり、符号３６は熱電対やサーミスタ等からなる点火検知装置である。
【００１７】
図１に示すように、グリル扉１２１の両側にはそれぞれ、本体ケーシング２の前面部２３の一部を構成する前壁パネル４及び化粧パネル５（図３参照）が設けられている。前壁パネル４は、図３に示すように、本体ケーシング２の筐体２０を構成する前フレーム２０１に設けられる。筐体２０の内部及び外部は、前フレーム２０１内の開口を通って内外に通じている。化粧パネル５は、前壁パネル４の前方Ｆ側を覆うように、前方Ｆより前壁パネル４に装着される。なお、化粧パネル５の前壁パネル４への装着は、化粧パネル５の外周縁に形成される係止部を前壁パネル４の外周縁に係止したり、両面粘着テープにより貼着したりする等、適宜の方法により行われる。
【００１８】
図１に示すように、前面部２３のうち、左部の上部に位置する前面部２３Ａには、グリルバーナ用の点消火ボタン１３Ａと、左コンロバーナ３０Ａ用の点消火ボタン１３Ｂとが設けられている。前面部２３のうち、右部の上部に位置する前面部２３Ｂには、奥コンロバーナ３０Ｂ用の点消火ボタン１３Ｃと、右コンロバーナ３０Ｃ用の点消火ボタン１３Ｄとが設けられている。
【００１９】
前面部２３のうち、左部の下部に位置する前面部２３Ｃおよび右部の下部に位置する前面部２３Ｄの後面４２側には、操作部１４が設けられる。操作部１４は、図３に示す前方Ｆに露出する使用位置と、図１に示す本体ケーシング２内に収納される収納位置との間で移動可能となるように設けられている。操作部１４の使用位置と収納位置との間の移動は、いわゆるカンガルーポケット機構により可能となっている。なお、カンガルーポケット機構は、従来公知の様々なものが適宜利用可能であって、詳細な説明は省略する。操作部１４は、自動で各種の調理を行ったりするための操作を行うためのものであるが、操作の目的は特に限定されない。また、表示部等、操作部１４以外の機器が並設されてもよい。
【００２０】
図３に示すように、左部の上部に位置する前面部２３Ａ及び右部の上部に位置する前面部２３Ｂには、それぞれ点火や火力を示す表示部１５が設けられる。表示部１５は、使用者が前方Ｆより前面部２３Ａ，２３Ｂを見たときに、発光部７（図５参照）から発した光が見えて使用者に表示を認識させるものである。具体的には、前面部２３Ａを構成する化粧パネル５Ａ及び前面部２３Ｂを構成する化粧パネルに対応する部分に表示部１５が設けられる。以下、前面部２３Ａを構成する前壁パネル４Ａ、化粧パネル５Ａ、表示部１５、発光部７及び発光部７が取り付けられる取付部材６（図５参照）について説明する。
【００２１】
図４に示すように、前壁パネル４Ａには、点消火ボタン１３Ａが通る貫通孔４１１が形成されている。貫通孔４１１は、正面視において直径２〜３ｃｍ程度の円形状をしており、前壁パネル４Ａの左部でかつ上下方向の略中央に形成されている。なお、貫通孔４１１の形状、大きさ、設けられる位置等は特に限定されない。
【００２２】
また、前壁パネル４Ａには、前後に貫通するパネル開口４０が形成される。具体的には、前壁パネル４Ａの貫通孔４１１の上側の部分に、上下長さが１ｃｍ程度、左右長さが２ｃｍ程度の矩形状をしたパネル開口４０が形成されている。なお、パネル開口４０の形状、大きさ等は特に限定されない。
【００２３】
図５に示すように、前壁パネル４Ａには、取付部材６が取り付けられる。取付部材６は、正面視において、パネル開口４０に対応する箇所に位置するように、前壁パネル４Ａに取り付けられる。言い換えると、取付部材６は、正面視において、前壁パネル４Ａのパネル開口４０を閉塞するように位置する。取付部材６は、前壁パネル４Ａの後面４２のパネル開口４０の周縁部に固定される。
【００２４】
取付部材６は、前方に開口する箱状をした本体部６１と、本体部６１の前端部より上下左右に突出するフランジ部６２と、を有する。フランジ部６２には、固着部６３として、ビスからなる固着具６４が通るビス孔が形成されている。また、前壁パネル４Ａの後面４２のパネル開口４０の周縁部には、固着部４３として、ビスからなる固着具６４がねじ込まれるねじ孔が形成されている。固着具６４としてのビスが、取付部材６の固着部６３としてのビス孔を通り、前壁パネル４Ａの固着部４３としてのねじ孔にねじ込まれて、取付部材６が前壁パネル４Ａに固定される。なお、固着部６３はビス孔に限定されず、固着部４３はねじ孔に限定されず、固着具６４はビスに限定されない。また、取付部材６の前壁パネル４Ａへの固定は、このようなビス止めに限定されず、嵌め込み、係止あるいは接着等であってもよい。
【００２５】
取付部材６には、前後に貫通する小開口６０が形成される。小開口６０は、正面視においてパネル開口４０の一部に対応する箇所に位置する。第一実施形態では、本体部６１の一部に小開口６０が形成される。なお、小開口６０は、正面視においてパネル開口４０の範囲内に位置するが、小開口６０の一部が正面視においてパネル開口４０の範囲外に位置してもよい。
【００２６】
取付部材６には、正面視において小開口６０に対応する箇所に発光部７が位置するように、発光部７が取り付けられている。発光部７は、ＬＥＤ（Light Emitting Diode）ランプ７１と、ホルダー７２と、を有する。なお、ＬＥＤランプ７１に替えて、豆電球等の他の発光体が用いられてもよい。
【００２７】
発光部７のホルダー７２が取付部材６の小開口６０に嵌め込まれることにより、発光部７が取付部材６に取り付けられる。なお、発光部７の取付部材６への取り付けは、このような嵌め込みに限定されず、ビス止め、係止あるいは接着等であってもよい。
【００２８】
図３に示すように、化粧パネル５Ａは、表示部１５として、前後に貫通する開口または前後に光を通す透光性部材からなる透光部５１を有する。第一実施形態では、点消火ボタン１３Ａについての表示部１５（以下、単に表示部１５という）は、一つの透光部５１のみ有する。
【００２９】
表示部１５は、前壁パネル４Ａのパネル開口４０に対応する箇所に位置する。更に、表示部１５は、取付部材６の小開口６０に対応する箇所に位置する。第一実施形態では、取付部材６に一つの小開口６０が形成されており、この小開口６０に対応するように、化粧パネル５Ａに一つの透光部５１が形成されている。
【００３０】
また、化粧パネル５Ａは、前壁パネル４Ａの貫通孔４１１に対応する位置に、点消火ボタン１３Ａが通る貫通孔５２１が形成されている。また、化粧パネル５Ａは、前壁パネル４Ａの貫通孔４１２（図５参照）に対応する位置に、点消火ボタン１３Ｂが通る貫通孔５２２が形成されている。
【００３１】
取付部材６に発光部７が取り付けられ、前壁パネル４Ａに取付部材６が取り付けられ、前壁パネル４Ａに化粧パネル５Ａが装着される。この状態で、発光部７から発した光は、パネル開口４０及び透光部５１を通って前方Ｆへと照射される。使用者は、前方Ｆ側より、透光部５１を通して発光部７が発した光を見ることができ、表示部１５による表示を認識することができる。
【００３２】
また、化粧パネル５Ａに形成される透光部５１、取付部材６及び発光部７を異なる種類のものに変えることにより、前壁パネル４Ａを変えることなく、表示部１５を変えることができる。すなわち、発光部７の位置、大きさ、個数、形状等を異ならせる場合に、化粧パネル５Ａに形成される透光部５１、取付部材６及び発光部７のみを異ならせればよく、前壁パネル４Ａを変える必要はない。このため、発光部７の位置、大きさ、個数、形状等が異なる複数種類の表示部１５を用意しようとする場合、一種類の前壁パネル４Ａにて対応することができる。この結果、前壁パネル４Ａを複数種類用意するための金型製造費等が不要となり、製造コストが削減される。
【００３３】
次に、第二実施形態の加熱調理器１について、図６及び図７に基いて説明する。なお、第二実施形態の加熱調理器１は、第一実施形態の加熱調理器１と大部分において同じである。このため、第一実施形態と重複する説明については説明を省略する。
【００３４】
第二実施形態では、第一実施形態の前壁パネル４Ａと同じ前壁パネル４Ａが使用され、異なるのは、表示部１５（化粧パネル５Ａ）、発光部７及び取付部材６のみである。
【００３５】
第一実施形態では、図３に示すように、表示部１５が一つの透光部５１のみ有していた。これに対して、第二実施形態では、図６に示すように、表示部１５が六つの透光部５１を有する。
【００３６】
第二実施形態では、図７に示すように、発光部７は、正面視においてパネル開口４０よりも大きな板状をしたホルダー７２を有する。ホルダー７２の前面側に、六つのＬＥＤランプを有する基板（不図示）が取り付けられている。
【００３７】
取付部材６は、パネル開口４０よりも若干大きな板状をした本体部６１と、本体部６１より側方に突出するアーム部６５と、を有する。本体部６１には、発光部７の六つのＬＥＤランプに対応する位置にそれぞれ小開口６０が形成されている。なお、取付部材６は、小開口６０に導光部材を有してもよい。導光部材は、発光部７のＬＥＤランプから発した光を透光部５１に導く透光性部材からなる。このような導光部材が設けられることにより、発光部７から発した光を効率よく透光部５１（表示部１５）に導くことができる。
【００３８】
アーム部６５に、ビスからなる固着具７４が通る固着部６６として、ビス孔が形成される。
【００３９】
発光部７には、固着具７４が通る固着部７３として、ビス孔が形成される。
【００４０】
固着具７４としてのビスが、まず発光部７の固着部７３としてのビス孔に通され、次いで取付部材６の固着部６６としてのビス孔に通され、前壁パネル４Ａの固着部４３としてのねじ孔にねじ込まれる。これにより、取付部材６が前壁パネル４Ａに固定される。共通の固着具７４により、発光部７と取付部材６とを前壁パネル４Ａに固着することができて、構造を簡単にすることができる。
【００４１】
第二実施形態では、表示部１５を第一実施形態の表示部１５と異ならせるにあたり、化粧パネル５Ａ、発光部７及び取付部材６のみ第一実施形態と異ならせればよく、前壁パネル４Ａは第一実施形態と同じものですむ。
【００４２】
なお、第一実施形態及び第二実施形態においては、加熱調理器１は、ビルトイン型であったが、ビルトイン型でなくてもよい。また、加熱調理器１は、グリル付きガスコンロであったが、グリルのみ又はガスコンロのみを有するものでもよい。
【００４３】
以上、述べた実施形態およびその変形例から明らかなように、第１の態様の加熱調理器１は、本体ケーシング２の前面部２３を構成する前壁パネル４Ａと、取付部材６と、発光部７と、を備える。前壁パネル４Ａには、前後に貫通するパネル開口４０が形成されている。前壁パネル４Ａには、正面視においてパネル開口４０に対応する箇所に取付部材６が取り付けられている。取付部材６には、正面視においてパネル開口４０の一部に対応する箇所に前後に貫通する小開口６０が形成されている。取付部材６には、正面視において小開口６０に対応する箇所に発光部７が位置するように、発光部７が取り付けられている。
【００４４】
第１の態様によれば、発光部７の位置、大きさ、個数、形状等を異ならせる場合に、取付部材６及び発光部７のみを異ならせればよく、一種類の前壁パネル４Ａにて対応することができる。
【００４５】
第２の態様では、第１の態様との組み合わせにより実現される。第２の態様では、加熱調理器１は、更に、前壁パネル４の前方側に位置する化粧パネル５を備える。化粧パネル５は、小開口６０に対応する位置に透光部５１を有する。
【００４６】
第２の態様によれば、化粧パネル５Ａに形成される透光部５１、取付部材６及び発光部７を異なる種類のものに変えることにより、前壁パネル４Ａを変えることなく、表示部１５を変えることができる。
【００４７】
第３の態様では、第１又は第２の態様との組み合わせにより実現される。第３の態様では、取付部材６は、小開口６０に導光部材を有する。
【００４８】
第３の態様によれば、発光部７から発した光を効率よく照射することができる。
【００４９】
第４の態様では、第１〜第３のいずれかの態様との組み合わせにより実現される。第４の態様では、前壁パネル４Ａには、ビスからなる固着具７４がねじ込まれる固着部４３としてのねじ孔が形成される。取付部材６には、固着具７４が通る固着部６６としてのビス孔が形成される。発光部７には、固着具７４が通る固着部７３としてのビス孔が形成される。固着具７４としてのビスが、発光部７のビス孔及び取付部材６のビス孔を通り、前壁パネル４Ａのねじ孔にねじ込まれて、取付部材６が前壁パネル４Ａに固定される。
【００５０】
第４の態様によれば、共通の固着具７４により、発光部７と取付部材６とを前壁パネル４Ａに固着することができて、構造を簡単にすることができる。
【符号の説明】
【００５１】
１    加熱調理器
２    本体ケーシング
２３Ａ  前面部
４Ａ  前壁パネル
４０  パネル開口
４３  固着部
５Ａ  化粧パネル
５１  透光部
６    取付部材
６０  小開口
６６  固着部
７    発光部
７３  固着部
７４  固着具
【図１】
2019190749.tif 000003
【図２】
2019190749.tif 000004
【図３】
2019190749.tif 000005
【図４】
2019190749.tif 000006
【図５】
2019190749.tif 000007
【図６】
2019190749.tif 000008
【図７】
2019190749.tif 000009